(57)【要約】【課題】センサレスで原稿サイズを検出し、原稿画像を正確に読み取り、原稿の載置の仕方に関わらず原稿読取時間を一定にすることのできるフラットベッド型画像読取装置を提供する。【解決手段】プラテンガラスに対して直交方向に移動する第１、第２の画像読取走査手段Ｓ１，Ｓ２と、第１、第２の画像読取走査手段Ｓ１，Ｓ２を順次移動させて読取走査を完了させた画像データを比較して、原稿画像の広がりを判別する画像比較判別手段１４と、この判別手段１４による判別結果に応じて、最適な記録紙１８を選択して印字出力する印字出力制御手段１６とを備えた構成としている。【選択図】図１
2004236026.tif 000002
【特許請求の範囲】
【請求項１】
プラテンガラス上に原稿を載置して、その原稿画像を読取走査するフラットベッド型画像読取装置において、プラテンガラスに沿って相互に直交方向に移動する第１、第２の画像読取走査手段と、上記第１、第２の画像読取走査手段を順次移動させて読取走査を完了させた原稿画像を比較して、原稿画像の広がりを判別する画像比較判別手段と、この判別手段による判別結果に応じて、最適な記録紙を選択して印字出力する印字出力制御手段とを備えたフラットベッド型画像読取装置。
【請求項２】
プラテンガラス上に原稿を載置して、その原稿画像を読取走査するフラットベッド型画像読取装置において、プラテンガラスに沿って相互に直交方向に移動する第１、第２の画像読取走査手段と、上記第１、第２の画像読取走査手段を順次、所定位置まで移動させて、読取走査された画像データの一部を比較して、原稿画像の広がりを判別する画像比較判別手段と、この判別手段による判別結果に応じて、上記原稿の読取走査時間が短い方の画像読取走査手段のみを移動させて、原稿画像の読取走査を完了させる信号処理制御手段とを備えたフラットベッド型画像読取装置。
【請求項３】
請求項２において、
上記画像比較判別手段による判別結果に応じて最適な記録紙を選択して、上記信号処理制御手段によって読取走査の完了された原稿画像を、印字出力する印字出力制御手段を更に備えたフラットベッド型画像読取装置。
【発明の詳細な説明】
【０００１】
【発明の属する技術分野】
本発明は、プラテンガラス上に原稿を載置して、その原稿画像を読取走査するフラットベッド型画像読取装置の改良に関する。
【０００２】
【従来の技術】
従来より、下記特許文献１に示すような装置は広く使用されている。この種の装置は、フラットベッド型スキャナなどで構成される読取部に、原稿がセットされると、これを読み取り、予めセットされた記録紙に印字出力するものである。
【０００３】
【特許文献１】
特開２０００−１５９３６３号公報
【０００４】
【発明が解決しようとする課題】
ところで、上記した従来の装置では、１本のスキャナヘッドを一定方向に移動させて読み取るだけであるため、以下の２つの問題があった。
【０００５】
一方は、そのヘッドの一部が汚れている場合などの原因により、原稿の一部が画像として読み取られないことがあり、原稿画像の記録紙への再現が不正確であった。他方は、一定方向のみに移動させて読み取るだけであるため、原稿のセット方向が、フラットベッドの長手方向となっていると、読み取りに時間がかかる。
【０００６】
本発明は、上記事情を考慮して提案されるものであり、原稿画像を正確に読み取ることができることのできるようにすることや、原稿をフラットベッドにセットする方向に関わらず原稿読取時間を一定にすることのできるフラットベッド型画像読取装置を提供することを目的としている。
【０００７】
【課題を解決するための手段】
上記目的を達成するために、本発明の請求項１では、第１の本発明を提案しており、プラテンガラスに沿って相互に直交方向に移動する第１、第２の画像読取走査手段と、第１、第２の画像読取走査手段を順次移動させて読取走査を完了させた原稿画像を比較して、原稿画像の広がりを判別する画像比較判別手段と、この判別手段による判別結果に応じて、最適な記録紙を選択して印字出力する印字出力制御手段とを備える。
【０００８】
請求項２では、第２の本発明を提案しており、プラテンガラスに沿って相互に直交方向に移動する第１、第２の画像読取走査手段と、第１、第２の画像読取走査手段を順次、所定位置まで移動させて、読取走査された画像データの一部を比較して、原稿画像の広がりを判別する画像比較判別手段と、この判別手段による判別結果に応じて、原稿の読取走査時間が短い方の画像読取走査手段のみを移動させて、原稿画像の読取走査を完了させる信号処理制御手段とを備える。
【０００９】
請求項３は、請求項２の付加機能を提案しており、画像比較判別手段による判別結果に応じて最適な記録紙を選択して、信号処理制御手段によって読取走査の完了された原稿画像を、印字出力する印字出力制御手段を更に備える。
【００１０】
【発明の実施の形態】
以下に、本発明の実施の形態について、図面とともに説明する。
【００１１】
図１は、第１、第２の本発明のフラットベッド型画像読取装置の要部構成の一例を示すブロック図である。図２は、これらの装置のうち、フラットベッド部分を概略的に示す図である。なお、ここでは、本発明としてファクシミリ装置の例を示しているが、これに限られるものではない。
【００１２】
１０Ａ，１０Ｂは、第１，第２の画像読取走査手段を構成するそれぞれのスキャナヘッドＳ１，Ｓ２に組み込まれたＣＣＤである。それぞれのスキャナヘッドＳ１，Ｓ２は、図２に示すように、プラテンガラスＧに沿って、相互に高さ間隔ｈを空けて直交する方向に移動する。すなわち、スキャナヘッドＳ１はプラテンガラスＧの長手方向に移動する一方、スキャナヘッドＳ２はプラテンガラスＧの短手方向に移動する。
【００１３】
この移動過程において、各ＣＣＤ１０Ａ，１０Ｂが、プラテンガラスＧ上に載置された原稿Ｐを撮影し、ビデオ信号とする。
【００１４】
ＣＣＤ１０Ａ，１０Ｂで撮影された原稿のビデオ信号は、増幅器ＡＭＰで一定レベルまで増幅され、画処理回路１１Ａ，１１Ｂによって、２値白黒データ、多値多階調データ、ＲＧＢ３色データなどの原稿画像とされる。
【００１５】
画処理回路１１Ａ，１１Ｂで作られた原稿画像は、各ページメモリ１２Ａ，１２Ｂに蓄積される。
【００１６】
画像回転回路１３は、所定時に、ページメモリ１２Ｂに蓄積された原稿画像の向きを左９０度回転する。こうすることで、ＣＣＤ１０Ｂによって読み取った原稿画像の向きが、ＣＣＤ１０Ａによって読み取った原稿画像の向きと一致する。
【００１７】
すなわち、図２を用いて説明すると、たとえば、ＣＣＤ１０Ａによって読み取った原稿画像データは、「Ａ」の頂点が下に位置するように、ページメモリ１２Ａに蓄積される。これに対して、ＣＣＤ１０Ｂによって読み取った原稿画像データは、「Ａ」の頂点が左に位置するように、ページメモリ１２Ｂに蓄積される。
【００１８】
ＣＣＤ１０Ｂによって読み取った原稿画像を左９０度回転させると、「Ａ」の頂点が下に位置することになり、それぞれの原稿画像の向きが一致することとなる。なお、画像回転回路１３を、ＣＣＤ１０Ａによって読み取った原稿画像データを蓄積するページメモリ１２Ａの下流側に設けても良い。この場合、画像回転回路１３は、ＣＣＤ１０Ａで読み取った原稿画像データを右に９０度回転させることになる。
【００１９】
画像比較判別回路１４は、画像比較判別手段を構成しており、第１、第２の本発明では、それぞれ異なる処理をする。すなわち、第１の本発明では、ＣＣＤ１０Ａにより原稿読取を完了させた原稿画像と、ＣＣＤ１０Ｂにより原稿読取を完了させ、左９０度回転させた原稿画像とのパターンマッチングを行い、相互できちんと読み取られていない個所を補完し合う。
【００２０】
また、パターンマッチングの終了した原稿画像について、その広がりを判別する。この判別は、原稿画像のエッジ部分の長さｌ１，ｌ２（図２参照）を判別したり、有効画像「Ａ」の広がり、つまり、プラテンガラスＧの長手方向、短手方向それぞれの長さを判別する。
【００２１】
一方の第２の本発明では、第１の本発明のように、原稿読取を完了させたりはせず、途中まで原稿画像を読み取り、原稿画像の広がり、つまり、エッジ部分ｌ１，ｌ２の長さを判別することを特徴とする。
【００２２】
すなわち、ＣＣＤ１０Ａにより途中まで原稿読取をした原稿画像より、プラテンガラスＧに対する短手方向の長さｌ２を判別する一方、ＣＣＤ１０Ｂにより途中まで原稿読取をし、左９０度回転させた原稿画像より、プラテンガラスＧに対する長手方向の長さｌ１を判別する。
【００２３】
なお、このような判別動作は、原稿画像のエッジ部分ｌ１，ｌ２の長さを判別するに限られず、有効画像「Ａ」の広がり、つまり、プラテンガラスＧの長手方向、短手方向それぞれの長さを判別するようにしてもよい。
【００２４】
ＣＯＤＥＣ１５は、原稿画像の符号化、復号を行うもので、例えば、画像比較判別回路１４によって補完された原稿画像が符号化され、バスＢに出力される。
【００２５】
印字出力制御回路１６は、印字出力制御手段を構成しており、画像比較判別回路１４によって判別された原稿画像の広がりに応じて、最適な記録紙１８を選択し、プリンタ１７で印字出力させる。そのため、印字出力制御回路１６やメモリ２０には、原稿画像の広がりと、これに対応する記録紙サイズとを対応付けて登録している。
【００２６】
具体的には、例えば、原稿画像の長手方向の長さｌ１と短手方向の長さｌ２とで規定される面積と、対応する記録紙サイズとを登録している。
【００２７】
モデム１９は、ファクシミリ通信に必要な各種信号の変復調を行う。メモリ２０は、先述したように、原稿画像の広がりと、これに対応する記録紙サイズとを登録する他、この装置１が動作するのに必要な各種プログラムなどが記憶される。
【００２８】
信号処理制御回路２１は、信号処理制御手段を構成しており、この装置１そのものの制御をするために設けられ、例えば、第２の本発明の処理において判別した、原稿短手方向に直交するスキャナヘッドＳ１，Ｓ２（この例ではスキャナヘッドＳ２）を作動させて原稿を読み取らせる処理をする。操作表示回路２２は、各種操作キーや各種表示ランプなどで構成される。
【００２９】
このような構成の第１、２の本発明によれば、以下の処理をなすことができる。まず、第１の本発明の処理を、以下に説明する。
【００３０】
図３のフローチャートは、第１の本発明による画像読取印字出力処理について説明するものである。図４〜６は、画像読取処理におけるスキャナヘッドＳ１，Ｓ２の動作を説明するものである。
【００３１】
この装置１では、操作表示回路２２における印字出力指示を受けると（１００）、画像比較判別回路１４による制御によって、スキャナヘッドＳ１が待機位置（点線に示す）から、プラテンガラスＧの長手方向Ａに移動して、実線に示す位置にまで行く（図４参照）。その過程でＣＣＤ１０Ａにより原稿Ｐをビデオ信号とし、画処理回路１１Ａで原稿画像とし、ページメモリ１２Ａに蓄積してゆく（１０１）。
【００３２】
ついで、画像比較判別回路１４による制御によって、スキャナヘッドＳ２が待機位置（点線に示す）から、プラテンガラスＧの短手方向Ｂに移動して、実線に示す位置にまで行く（図５参照）。その過程でＣＣＤ１０Ｂにより原稿Ｐをビデオ信号とし、画処理回路１１Ｂで原稿画像とし、ページメモリ１２Ｂに蓄積してゆく（１０２）。
【００３３】
このように、スキャナヘッドＳ１，Ｓ２による読取走査が完了すれば、画像比較判別回路１４は、それぞれのスキャナヘッドＳ１，Ｓ２を待機位置（実線に示す）まで戻し（図６参照）、ＣＣＤ１０Ｂによって読み取られ、ページメモリ１０Ｂに蓄積された原稿画像を、画像回転回路１３によって左９０度回転させ（１０３）、ページメモリ１０Ａの画像データと、左９０度回転させた、ページメモリ１０Ｂの画像データとを比較してパターンマッチングを行い、相互できちんと読み取られていない個所を補完し合い、プリンタ１７で印字するための原稿画像データを作成するとともに、原稿画像の広がりを判別する（１０４）。
【００３４】
そして、印字出力制御回路１６によって、判別された原稿画像の広がりに基づいて、最適な記録紙１８のサイズを選択し、プリンタ１７を制御して、そのサイズの記録紙１８を選択させ、有効画像データの印字出力をさせる（１０５）。
【００３５】
図７のフローチャートは、第２の本発明による画像読取印字出力処理について説明するものである。
【００３６】
この装置１では、操作表示回路２２における印字出力指示を受けると（２００）、画像比較判別回路１４の制御によって、スキャナヘッドＳ１が待機位置（実線に示す）から、プラテンガラスＧの長手方向Ａに移動して、予め定められた所定位置Ｐｏ１まで行く（図２参照）。その過程でＣＣＤ１０Ａにより原稿Ｐをビデオ信号とし、画処理回路１１Ａで原稿画像とし、ページメモリ１２Ａに蓄積してゆく（２０１）。
【００３７】
ついで、画像比較判別回路１４の制御によって、スキャナヘッドＳ２が待機位置（実線に示す）から、プラテンガラスＧの短手方向Ｂに移動して、予め定められた所定位置Ｐｏ２まで行く（図２参照）。その過程でＣＣＤ１０Ｂにより原稿Ｐをビデオ信号とし、画処理回路１１Ｂで原稿画像とし、ページメモリ１２Ｂに蓄積してゆく（２０２）。
【００３８】
このように、スキャナヘッドＳ１，Ｓ２による読取走査を途中まで行えば、画像比較判別回路１４は、それぞれのスキャナヘッドＳ１，Ｓ２を待機位置（実線に示す）まで戻し、ＣＣＤ１０Ｂによって読み取られ、ページメモリ１０Ｂに蓄積された原稿画像を、画像回転回路１３によって左９０度回転させ（２０３）、ページメモリ１０Ａの原稿画像と、左９０度左回転させた、ページメモリ１０Ｂの原稿画像とを比較して原稿画像の広がりを判別する。すなわち、原稿画像のプラテンガラスＧに対する長手方向と短手方向のそれぞれの長さｌ１，ｌ２を判別する（２０４）。
【００３９】
なお、スキャナヘッドＳ１，Ｓ２をどの位置まで移動させるかは、原稿画像のエッジ部分の長さｌ１，ｌ２を判別するのであるから、エッジの真上に来る位置をＰｏ１，Ｐｏ２とすればよい。
【００４０】
なお、有効画像の広がりを判別するのであれば、有効画像「Ａ」の長手、短手方向の最大の長さが検出できる位置をＰｏ１，Ｐｏ２とすればよい。
【００４１】
信号処理制御回路２１は、これらの長さｌ１，ｌ２のうち、どちらが短いかを判断し、短い方（ここではプラテンガラスＧの短手方向）に直交するスキャナヘッドＳ１，Ｓ２（ここではスキャナヘッドＳ２）を選択し、選択したスキャナヘッドＳ１，Ｓ２を待機位置から終端位置まで完全に移動させ、原稿画像を読み取り、ページメモリ１２Ａ，１２Ｂに蓄積させ、読取を完了する（２０５）。
【００４２】
この場合、原稿画像は画像比較判別回路１４を中継されず、ＣＣＤ１でよみとった原稿画像はページメモリ１２Ａから直接読み出され、ＣＣＤ２で読み取った原稿画像は画像回転回路１３で左９０度回転された上で読み出され、コーデック１５を通じて、バスＢに出力される。
【００４３】
そして、印字出力制御回路１６によって、判別された原稿画像の広がり、すなわち、原稿画像のプラテンガラスＧに対する長手、短手方向の長さｌ１，ｌ２に基づいて、最適な記録紙１８のサイズを選択し、プリンタ１７を制御して、そのサイズの記録紙１８を選択させ、有効画像データの印字出力をさせる（２０６）。
【００４４】
【発明の効果】
以上説明したように、本発明の請求項１では、第１、第２の画像読取走査手段を順次移動させて読取走査を完了させた画像データを比較するので、良質な原稿画像を得ることができる。
【００４５】
また、第１、第２の画像読取手段を順次移動させて原稿画像を読み取るので、プラテンガラスにおける原稿の載置の仕方に関わらず原稿読取時間を一定にすることができる。
【００４６】
更に、原稿画像の広がりの判別結果に応じて、最適な記録紙を選択して印字出力するので、良質な画像データを、そのデータの広がりに最適なサイズの記録紙上に展開することができる。
【００４７】
請求項２では、第１、第２の画像読取走査手段を順次、所定位置まで移動させて、読取走査された画像データの一部を比較して、原稿画像の広がりを判別するので、広がり判別の時間がかからない。
【００４８】
また、原稿画像の広がり判別結果に基づいて、原稿の読取走査時間の短い方のスキャナヘッドのみで、読み取りを完了させるため、プラテンガラスにおける原稿の載置の仕方に関わらず、読み取り時間の短縮化ができる
請求項３は、画像比較判別手段による判別結果に応じて最適な記録紙を選択して、読取走査の完了された原稿画像を、印字出力するので、原稿画像の広がりに最適なサイズの記録紙上に、原稿画像を展開することができる。
【図面の簡単な説明】
【図１】本発明の内部構成の一例を示すブロック図
【図２】フラットベッド部分を概略的に示す図
【図３】第１の本発明の画像読取印字出力処理について説明するためのフローチャート
【図４】スキャナヘッドＳ１の待機位置からの移動について説明するための図
【図５】スキャナヘッドＳ２の待機位置からの移動について説明するための図
【図６】スキャナヘッドＳ１，Ｓ２の待機位置への移動について説明するための図
【図７】第２の本発明の画像読取印字出力処理について説明するためのフローチャート
【符号の説明】
１・・・フラットベッド型画像読取装置
１０Ａ，１０Ｂ・・・ＣＣＤ
１１Ａ，１１Ｂ・・・画処理回路
１４・・・画像比較判別回路
１６・・・印字出力制御回路
１７・・・プリンタ
１８・・・記録紙
２１・・・信号処理制御回路
Ｇ・・・プラテンガラス
Ｓ１，Ｓ２・・・スキャナヘッド
【図１】
2004236026.tif 000003
【図２】
2004236026.tif 000004
【図３】
2004236026.tif 000005
【図４】
2004236026.tif 000006
【図５】
2004236026.tif 000007
【図６】
2004236026.tif 000008
【図７】
2004236026.tif 000009